(57)【要約】【課題】カメラからの電源が供給されない時でも操作回数を記憶する交換レンズとカメラシステムを提供することにある。【解決手段】  交換レンズの操作部材が操作された事を検出する検出手段と、該検出手段の状態を検出する制御手段と、該制御手段に電力を供給する電力供給手段とを有し、該操作部材の操作回数を該制御手段に記憶する事を可能とすることを特徴とする構成とした。【選択図】  図４
2012123153.tif 000002
【特許請求の範囲】
【請求項１】
交換レンズの操作部材が操作された事を検出する検出手段と、該検出手段の状態を検出する制御手段と、該制御手段に電力を供給する電力供給手段とを有し、該操作部材の操作回数を該制御手段に記憶する事を特徴とする交換レンズ。
【請求項２】
操作部材が操作された事を検出する検出手段と、検出手段の状態を検出する第１の制御手段と、第２の制御手段とを有する第１の制御手段は第２の制御手段が動作不能である時に、操作回数を記憶する事を特徴とする請求項1に記載の交換レンズ。
【請求項３】
第１の制御手段は第２の制御手段と異なる電源手段に接続されている事を特徴とする請求項２に記載の交換レンズ。
【請求項４】
第１の制御手段は第２の制御手段よりも低消費電力である事を特徴とする請求項２に記載の交換レンズ。
【請求項５】
第１の制御手段は第２の制御手段が動作可能である時に、操作回数を第２の制御手段に伝える事を特徴とする請求項２に記載の交換レンズ。
【請求項６】
第１の制御手段はカメラに接続中に、操作回数をカメラに伝える事を特徴とする請求項２に記載の交換レンズ。
【請求項７】
第１の制御手段の入出力部は電源無供給時に電流を引かない構成である事を特徴とする請求項２に記載の交換レンズ。
【請求項８】
第１の制御手段に接続する電源手段は二次電池である事を特徴とする請求項２に記載の交換レンズ。
【請求項９】
第１の制御手段と第２の制御手段とを一つの制御回路の部分として構成する事を特徴とする請求項２に記載の交換レンズ。
【請求項１０】
カメラと交換レンズとから構成されるカメラシステムに於いて、交換レンズの第１の制御手段に接続する電源手段の電圧を検出する検出手段を有し、電圧が低下していることを検出すると、第２の制御手段がカメラに伝え警告、または表示を行うカメラシステム。
【発明の詳細な説明】
【技術分野】
【０００１】
本発明は、操作手段の操作回数の記憶装置有する交換レンズとカメラシステムの改良に関するものである。
【背景技術】
【０００２】
特許文献１には、以下のようなレンズ鏡筒の診断システムが開示されている。
（１）可動部の移動量を記憶する可動部移動量記憶部と、所定の機能の低下が発生するときの可動部の限界移動量が記憶されている可動部限界移動量記憶部とを備え、レンズ鏡筒毎に当該機能の寿命の管理を行う。
（２）可動部は、複数設けられており、可動部移動量記憶部及び可動部限界移動量記憶部は、可動部の設けられている数に対応し、レンズ鏡筒に設けられた複数の機能の寿命の管理を行う。
（３）可動部移動量記憶部に記憶された移動量と可動部限界移動量記憶部に記憶された限界移動量とを比較して、移動量が限界移動量に近づいたか否か、及び／又は、移動量が限界移動量に達したか否かを判定する判定部と、判定部の判定結果に応じた告知を行う告知部とを備え、機能の寿命までの余裕に関する情報を的確に使用者に伝えることができる。
（４）告知部は、移動量が限界移動量に近づいたときに、該当する部位の検査が必要であることを告知するので、使用者は、最適な時期に検査を行うことができる。
（５）告知部は、移動量が限界移動量に近づいたときに、限界移動量に達するまでの予想使用可能回数及び／又は予想使用可能期間を告知する。
（６）可動部は、複数設けられており、判定部は、複数設けられた可動部毎に判定を行い、告知部は、複数設けられた可動部毎に告知を行う。
【先行技術文献】
【特許文献】
【０００３】
【特許文献１】特開2005-106941号公報
【発明の概要】
【発明が解決しようとする課題】
【０００４】
上記従来例では、電源についての記述が無い為、次の問題がある。
【０００５】
一般に、交換レンズ内には、制御回路を動作させるための電池を搭載していない。
【０００６】
しかし、使用者は交換レンズをカメラと接続しない状態又は、カメラの電源が切れている状態でも、ズーム操作環、フォーカス操作環等の操作部材を操作する事が出来る。
【０００７】
その時の操作回数を記憶する為には、カメラからの電源が供給されない状況でも、交換レンズ内の制御回路を動作して回数を記憶する必要がある。
【０００８】
よって、上記従来例では、カメラからの電源が供給されない時に、操作された場合、操作回数を記憶する事が出来なかった。
【０００９】
そこで、本発明の例示的な目的は、カメラからの電源が供給されない時でも操作回数を記憶する交換レンズとカメラシステムを提供することにある。
【課題を解決するための手段】
【００１０】
上記目的を達成するために、本発明のカメラシステムは、交換レンズの操作部材が操作された事を検出する検出手段と、該検出手段の状態を検出する制御手段と、該制御手段に電力を供給する電力供給手段とを有し、該操作部材の操作回数を該制御手段に記憶する事を可能とすることを特徴とする。
【発明の効果】
【００１１】
一般に、交換レンズ内には、制御回路を動作させるための電池を搭載していないため、交換レンズをカメラと接続しない状態又は、カメラの電源が切れている状態で、ズーム操作環、フォーカス操作環等の操作部材を操作した場合の操作回数を記憶事が出来なかった。
そのためには、交換レンズの操作部材が操作された事を検出する検出手段と、該検出手段の状態を検出する制御手段と、該制御手段に電力を供給する電力供給手段とを有する事により、該操作部材の操作回数を該制御手段に記憶する事が出来るようになった。
【図面の簡単な説明】
【００１２】
【図１】本発明の実施の第１の形態に係るカメラのブロック図
【図２】本発明の実施の第１の形態に係る交換レンズ２の機械的構造を示した縦断面図
【図３】本発明の実施の第１の形態に係るフォーカス操作検出手段２４を説明する図
【図４】本発明の実施の第１の形態に係るレンズ内ＣＰＵ１７の構成を示す図
【図５】本発明の実施の第１の形態に係る第２の制御手段５７の入出力部の構成を説明する図
【図６】本発明の実施の第１の形態に係るカメラの動作のフローチャート
【図７】本発明の実施の第２の形態に係るカメラの動作のフローチャート
【図８】本発明の実施の第２の形態に係るレンズ内ＣＰＵ１７の構成を示す図
【発明を実施するための形態】
【００１３】
以下に、本発明の好ましい実施の形態を、添付の図面に基づいて詳細に説明する。
【００１４】
［実施例１］
実施例は相互に通信可能なカメラ本体と交換レンズからなるカメラシステムにおいて示す。
【００１５】
本発明におけるブロック図を図１に示す。
【００１６】
図１中１は本発明のカメラシステムにおけるカメラ本体、２は交換レンズである。
【００１７】
カメラ本体１内には、電気回路部３があり、電気回路部３は交換レンズを通ってきた光の量を測定するための測光部４、撮像面上から、被写体までの距離を測定するための測距部５、撮像面を適当な時間露光するためのシャッター６、表示と警告を行う表示警告手段７、手段これらのカメラ本体１内の制御を行うカメラ本体内ＣＰＵ８、交換レンズとのシリアル通信を行うための通信手段９を含む。
【００１８】
また、交換レンズ２内における、１１は交換レンズ２中のフォーカスレンズ、１２は絞り、１４は交換レンズ２内の電気回路部で、電気回路部１４内には、 カメラ本体内ＣＰＵ８との間でシリアル通信を行うための通信手段１６、交換レンズ２内の制御を行うレンズ内ＣＰＵ１７、フォーカスレンズ１１の駆動制御を行うためのレンズ駆動制御部１８、フォーカスレンズ１１を駆動するためのレンズ駆動用モータ１９、さらに、絞りの駆動制御を行うための絞り制御部２０、絞りを駆動するための絞り駆動用モータ２１が含まれる。
【００１９】
２２は、レンズ内ＣＰＵ１７の一部に電力を供給する電池。
【００２０】
２３は、ズーム操作環が操作された事を検出するズーム操作検出手段。
【００２１】
２４は、フォーカス操作環が操作された事を検出するフォーカス操作検出手段。
【００２２】
２５は、測光部４、測距部５、カメラ本体内ＣＰＵ８、交換レンズ２内ＣＰＵ１７等の電力消費量が比較的少なく安定した出力電圧を必要とする制御系回路に電力をカメラ本体内ＣＰＵ８の出力により供給する制御系電源。
【００２３】
２６は、制御系電源２２の電圧、電力を検出する制御系電源検出部。
【００２４】
２７は、シャッター６、レンズ駆動制御部１８、絞り制御部２０等の電力消費量が比較的多く必要とする駆動系回路に電力をカメラ本体内ＣＰＵ８の出力により供給する駆動系電源。
【００２５】
２８は、駆動系電源２７の電圧、電力を検出する駆動系電源検出部。
【００２６】
２９は測光部４の動作を開始するスイッチＳＷ１。
【００２７】
３０は測距部４の動作とシャッター６の開閉動作を開始するスイッチＳＷ２。
【００２８】
次に、操作部材と操作検出手段の機械的関係を図２を用いて示す。
【００２９】
図２は図１の交換レンズ２の機械的構造を示した縦断面図である。同図において、３１は鏡胴の固定筒を示しており、後述の鏡筒３４，３５を直進させる直進溝を有している。３２は後述する鏡筒３４，３５を駆動するためのカムを有する変倍ズーム用カム環で、固定筒３１に対し、回転可能に支持されている。３３は第一群鏡筒であり、後述する第一群レンズ３６を支持するものであり、固定筒３１とヘリコイド結合しており、後述するフォーカス操作環３９の回転をピン３ａを介して伝えられると、固定筒３１に対して回転しながら光軸方向に移動する。３４，は第二群鏡筒、３５は第三群鏡筒であり、第二群レンズ３７、第三群レンズ３８を支持するものであり、固定筒３１の直進溝及び、ズーム用カム環３２のカムによりピン３４ａ，３５ａを介して光軸方向に直進する。３６はフォーカス用の第一群レンズ、３７及び３８はズーム変倍用の第二群、第三群レンズ、９はフォーカス環で、固定筒３１に対し、回転可能に支持されている。４０（１９）は前述フォーカス操作環３９に形成されたギヤとかみ合うピニオンを有し、フォーカス操作環３９を回転駆動させてフォーカシングを行うフォーカス用モータであり、図１の１９と同じである。４１は固定筒３１に固定される外装環である。
【００３０】
４２はズーム操作環で、外装環に対して回転可能にとりついており、その回転は４３のズームキーによりズーム用カム環３２へと伝えられ、そのズーム用カム環３２の回転をひろって、固定筒３１とズーム用カム環３２の関係から、ズーム位置検知手段４５はズーム位置を検知する。ズーム位置検知手段４５は図１のズーム操作検出手段２３に相当する。４４はフォーカス操作環３９の回転をひろって、固定筒３１とフォーカス操作環３９の関係からフォーカスの絶対位置を検知するフォーカス絶対位置検知手段であり図１のフォーカス操作検出手段２４に相当する。４６はフォーカス操作環３９の回転をひろってインクリメンタルにパルスを発生させるエンコーダである。４７はモータ４０（１９）と不図示のリード線により、また各位置検出手段４４，４５エンコーダ４６とフレキシブルプリント基板４８により電気的につながり、後述の接点５０にも電気的につながるメイン基板で、レンズを電気的に制御するマイコン１７及び回路が搭載されている。４９は外装環４１に固定され、カメラ１とメカニカルに結合されるマウント、５０は不図示のカメラ１と電気的につながる電気接点である。
【００３１】
次に、図３を用いて、フォーカス操作検出手段２４で操作部材（フォーカス操作環３９）の動きを検出する状況を説明する。
【００３２】
図３は図１のフォーカス操作検出手段２４を説明する図である。
【００３３】
５１は、ＺＯＮＥ０端子の電極、５２は、ＺＯＮＥ１端子の電極、５３は、ＣＯＭ端子。
５５は、ＺＯＮＥ０端子の電極５１と、ＺＯＮＥ１端子の電極５２と、ＣＯＭ端子電極５３とを搭載した基板である。
【００３４】
５４はブラシ（接触子）で、基板５５に対しモータ１９の回転により相対的に移動する。モータ１９がＣＷに回転すると紙面右に移動し、ＣＣＷに回転すると紙面左に移動する。
また、使用者がフォーカス操作環を回転する事によっても、同様に移動することが出来る。
図中のブラシ５４の位置がＺＯＮＥＣにあるので、ＺＯＮＥ０とＺＯＮＥ１とＣＯＭはブラシ５４を介し接続している。
【００３５】
同様にブラシ５４の位置がＺＯＮＥＡにある場合では、ＺＯＮＥ０  ５１とＺＯＮＥ１  ５２とＣＯＭ  ５３は未接続である。ブラシ５４の位置がＺＯＮＥＢにある場合では、ＺＯＮＥ１  ５２とＣＯＭ  ５３は接続し、ＺＯＮＥ０  ５１は未接続である。ブラシ５４の位置がＺＯＮＥＤにある場合では、ＺＯＮＥ０  ５１とＣＯＭ  ５３は接続し、ＺＯＮＥ１  ５２は未接続である。レンズ内ＣＰＵ１７はこれらスイッチの状況を出力端子４６、４８と入力端子４５、４７で検出し、不図示の移動体の位置を検出する。なお、電極部を除く部分を保護する為、基板５５上にカバーが基板を覆っている。
【００３６】
レンズ内ＣＰＵ１７は、この電極の接続状態の変化を検出する事により、フォーカス操作環が操作された事を検出する事が出来る。
【００３７】
図4に於いて、レンズ内ＣＰＵ１７の構成に沿って、本発明の有効性を説明する。
【００３８】
図４はレンズ内ＣＰＵ１７の構成を示す図である。
【００３９】
５６は、操作回数を記憶する第１の制御手段、５７はレンズ内のアクチュエータの駆動処理を実行する第２の制御手段である。
【００４０】
５８はカメラ１内の制御系電源２５から供給される電源の電圧を検出する電圧検出手段、５９は電池２２の電圧を検出する電圧検出手段である。
【００４１】
６０は電池２２から第１の制御手段５６に供給する電流が逆流しないようにするダイオードである。
【００４２】
６１はカメラ１内の制御系電源２５から供給される電源から第１の制御手段５６に供給する電流が逆流しないようにするダイオードである。
【００４３】
電池２２又はカメラ１内の制御系電源２５から供給される第１の制御手段５６の電源からの電流はダイオード６２を通して抵抗６４に供給する。６２は、その電流が逆流しないようにするダイオードである。
【００４４】
カメラ１内の制御系電源２５から供給される第２の制御手段５７の電源はダイオード６３を通して抵抗６４に供給する。６３は、その電流が逆流しないようにするダイオードである。
【００４５】
５１、５２は図３で説明したＺＯＮＥ０電極、ＣＯＭ電極である。
【００４６】
６５は第１の制御手段５６の入力端子、６６は第１の制御手段５６の出力端子である。
【００４７】
６７は第２の制御手段５７の入力端子、６８は第２の制御手段５７の出力端子である。
【００４８】
ここで、カメラ１内の制御系電源２５からの電源が供給されている場合の電源の状態を説明する。
【００４９】
第１の制御手段５６には、電池２２からダイオード６０を介して供給される電源と、カメラからの電源がダイオード６１を介して供給される。
【００５０】
カメラ１内の制御系電源２５からの電源の電圧を電池２２の電圧よりも高くする事で、カメラに接続している時は、電池２２から第１の制御回路に電流を供給しないので電池２２の寿命を伸ばす事が出来る。
【００５１】
第２の制御手段５７には、カメラ１内の制御系電源２５からの電源が供給される。
【００５２】
抵抗６４には、電池２２からダイオード６０、６２を介して供給される電源と、カメラからの電源がダイオード６１、６２を介して供給され、更にカメラ１内の制御系電源２５からの電源がダイオード６３を介して供給される。
【００５３】
第１の制御手段５６がＣＯＭ電極３１を０（グランドレベルを０、Ｖｄｄレベルを１とする）とするとＺＯＮＥ０電極とＣＯＭ電極とが同通していると、入力端子に０が入力される。
【００５４】
また、第１の制御手段５６がＣＯＭ電極３１を０とし、ＺＯＮＥ０電極とＣＯＭ電極とが同通していないと、入力端子に１が入力される。
【００５５】
このようにして、第１の制御手段５６はＺＯＮＥ位置を検出する事が出来る。
【００５６】
同様に第２の制御回路も検出する事が可能である。
【００５７】
しかし、同時にＣＯＭ電極を０とすると、誤って検出してしまうので、不図示の通信手段により、同時にＣＯＭ電極を０としないようにしている。
【００５８】
次に、カメラ１内の制御系電源２５からの電源が供給されていない場合の電源の状態を説明する。
【００５９】
第１の制御手段５６には、電池２２からダイオード６０を介して電源が供給される。カメラ１内の制御系電源２５からの電源は供給されないが、ダイオード６１があるので、電池２２からの電流はカメラ１内の制御系電源２５側に逆流する事は無い。
【００６０】
第２の制御手段５７にも、カメラ１内の制御系電源２５からの電源が供給されない。
【００６１】
抵抗６４には、電池２２からダイオード６０、６２を介して電源が供給される。カメラ１内の制御系電源２５からの電源は供給されないが、ダイオード６３があるので、電池２２からの電流はカメラ１内の制御系電源２５側に逆流する事は無い。
【００６２】
第１の制御手段５６がＣＯＭ電極３１を０（グランドレベルを０、Ｖｄｄレベルを１とする）とするとＺＯＮＥ０電極とＣＯＭ電極とが同通していると、入力端子に０が入力される。
【００６３】
また、第１の制御手段５６がＣＯＭ電極３１を０とし、ＺＯＮＥ０電極とＣＯＭ電極とが同通していないと、入力端子に１が入力される。
【００６４】
このようにして、第１の制御手段５６はＺＯＮＥ位置を検出する事が出来る。
【００６５】
なお、第２の制御回路５７の入出力端子は、電源が遮断された場合に第１の制御回路５６の入出力端子から電流を引く事が無いように、特開2004-120750に開示されているようなトレラントな回路構成としている。
【００６６】
次に、第１の制御手段５６と第２の制御手段５７の違いを次の表に沿って説明する。
【００６７】
【表１】
2012123153.tif 000003
【００６８】
機能
第１の制御手段５６は操作回数を記憶し、カメラ又は第２の制御手段５７に通信する機能を有すれば良いので、単機能でよい。
【００６９】
一方、第２の制御手段５７はカメラとの通信を頻繁に実行し、レンズ駆動用モータ１９や、絞り駆動用モータ２１を駆動するため、多機能である必要がある。
【００７０】
ルール、面積、クロック
多機能の第２の制御手段５７は、実行速度が速い必要がある為、動作クロックを、32MHzと第１の制御手段５６の32kHzに対して、1000倍速くしている。
【００７１】
更に、動作クロックを速くするためには、プロセスルールを小さくする事で、内部の静電容量を減らし、消費電力を減らす必要がある。
【００７２】
よって、第１の制御手段５６のプロセスルールは、0.6μm、第２の制御手段５７のプロセスルールは、0.18μmとしている。
【００７３】
プロセスルールが小さいほど、同じ機能の制御手段を構成する為のチップ面積は小さくなる。機能とプロセスルールを加味して、チップ面積は、第１の制御手段５６で0.5ｍｍ角、第２の制御手段５７で5ｍｍ角としている。なお、プロセスルールが小さいほど、交流的な動作電流は小さくなるが、直流的な動作電流であるリーク電流が大きくなるので、ホルト時の消費電流が大きくなる。
【００７４】
消費電流
消費電流は、動作時と第２の制御手段５７のクロックを32ｋHzとした場合とクロックを停止した場合の三例を示した。
【００７５】
動作時の消費電流
第１の制御手段５６の動作時の消費電流を1μAとすると、第２の制御手段５７の動作時の消費電流は、概略次の通りである。
【００７６】
1μA ×（32MHz /32kHz）×（5ｍｍ角/0.5ｍｍ角）×（0.5（プロセスルールによる比））
＝50mA
プロセスルールが小さいほど静電容量が小さくなり、動作時の消費電流が少なくなる。
【００７７】
ここでは、その比を0.5とした。
【００７８】
第２の制御手段５７のクロックを32ｋHzとした場合の動作時の消費電流
第１の制御手段５６の動作時の消費電流を1μAとすると、第２の制御手段５７の動作時の消費電流は、概略次の通りである。
【００７９】
1μA ×（32kHz /32kHz）×（5ｍｍ角/0.5ｍｍ角）×（0.5（プロセスルールによる比））
＋0.1μA×（5ｍｍ角/0.5ｍｍ角）×（10（プロセスルールによる比））
＝150μA
プロセスルールが小さいほど、交流的な動作電流は小さくなるが、直流的な動作電流であるリーク電流が大きくなるので、ホルト時の消費電流が大きくなる。
【００８０】
ここでは、その比を10とした。
【００８１】
ホルトの動作時の消費電流
第１の制御手段５６のホルト時の消費電流を0.1μAとすると、第２の制御手段５７の動作時の消費電流は、概略次の通りである。
【００８２】
0.1μA×（5ｍｍ角/0.5ｍｍ角）×（10（プロセスルールによる比））
＝100μA
また、電源の電池の容量は、長期の放電特性の良いリチウム電池のCR2025では、150mAhとなっている。
【００８３】
この電池では、第１の制御手段５６の動作電流ならば、
150mA/1μA＝150000ｈ＝17年
使用可能であり、交換レンズの寿命に対して十分長い。
【００８４】
一方、第２の制御手段５７の動作電流ならば、
150mA/50mA＝3ｈ
動作クロックを32kHzとしても、
150mA/150μA＝1000ｈ＝41日
しか持たない。
【００８５】
この様に、多機能の制御手段を電池で長期間動作させることは出来ない。
【００８６】
よって、消費電力の少ない制御手段が必要である。
【００８７】
次に、第２の制御手段５７の入出力部が電源無供給時に電流を引かない構成である事の説明を図５を元に行う。
【００８８】
図５は入出力部が電源無供給時に電流を引かない構成である事を示す図である。この構成をトレラントと呼んでいる。
【００８９】
入力端子の説明
図５ａはトレラントでない入力端子を示し、図５ｂはトレラントな入力端子を示す。
【００９０】
図５ａで７０は、電源端子（Ｖｄｄ）、７１は入力端子、７２はグランド端子（ＧＮＤ）、７３、７４は、ＩＣ内部回路保護用ダイオード、７５はＰＭＯＳＦＥＴ、７６はＮＭＯＳＦＥＴである。この構成で、電源端子（Ｖｄｄ）に電源が供給されない場合、入力端子７１から電流が電源端子（Ｖｄｄ）７０に流れるので、第２の制御手段５７の入力部をこの構成とすると、第１の制御手段５６の消費電流が増加してしまう。
【００９１】
一方、図５ｂではＩＣ内部回路保護用ダイオード７３を除いているので、電源端子（Ｖｄｄ）に電源が供給されない場合でも、入力端子７１から電流が電源端子（Ｖｄｄ）７０に流れないので、第２の制御手段５７の入出力部をこの構成とすると、第１の制御手段５６の消費電流が増加してしまう事は無い。
【００９２】
出力端子の説明
図５ｃはトレラントでない出力端子を示し、図５ｄはトレラントな出力端子を示す。
【００９３】
図５ｃで７０は、電源端子（Ｖｄｄ）、７７は出力端子、７２はグランド端子（ＧＮＤ）、７８、７９は、ＩＣ内部回路保護用ダイオード、８０はＰＭＯＳＦＥＴ、８１はＮＭＯＳＦＥＴである。この構成で、電源端子（Ｖｄｄ）に電源が供給されない場合、出力端子７７から電流が電源端子（Ｖｄｄ）７０に流れるので、第２の制御手段５７の出力部をこの構成とすると、第１の制御手段５６の消費電流が増加してしまう。
【００９４】
一方、図５ｄではＩＣ内部回路保護用ダイオード７８を除いているので、電源端子（Ｖｄｄ）に電源が供給されない場合でも、出力端子７７から電流が電源端子（Ｖｄｄ）７０に流れないので、第２の制御手段５７の入出力部をこの構成とすると、第１の制御手段５６の消費電流が増加してしまう事は無い。
【００９５】
よって、第２の制御手段５７の入出力部は電源無供給時に電流を引かない。
【００９６】
次に、本発明の実施の第１の形態に係る交換レンズの動作について、図６のフローチャートを用いて説明する。
【００９７】
図６（ａ）は第１の制御回路のフローチャート、図６（ｂ）は第２の制御回路のフローチャートである。
【００９８】
まず、第１の制御回路３６の動作を説明する。
【００９９】
ステップ１１に於いて、供給された電源を検知し初期動作を行う。
【０１００】
ステップ１２に於いて、第２の制御手段５７に供給された電源電圧を電圧検知手段３８の出力を元に検知する。
【０１０１】
電源が供給されていると、ステップ１３に於いて、第２の制御手段５７からの通信があり、それまで計数した操作回数を送信する。この通信に於いて、計数値をある値に設定する場合がある。
【０１０２】
ステップ１４に於いて、フォーカス操作環が操作された事を、前述のように検出し計数する。この場合、ＺＯＮＥ毎に計数する場合と、一度に操作された事をまとめて一回として計数する場合がある。これらは、予め設定する場合と、カメラ本体内ＣＰＵ８からの通信で設定を変更する場合とがある。
【０１０３】
次に、第２の制御回路３７の動作を説明する。
【０１０４】
ステップ２１に於いて、供給された電源を検知し初期動作を行う。
【０１０５】
ステップ２２に於いて、第１の制御手段５６に供給される電池２２の電圧を電圧検知手段３９の出力を元に検知する。
【０１０６】
電源が供給されていると、計数してあることが確からしいので、ステップ２３に於いて、通信により、第１の制御手段５６から、それまで計数した操作回数を受信する。
電池２２の電圧が低下している場合、計数出来ていないことが考えられるので、それまで計数した操作回数を受信しない。
【０１０７】
ステップ２４に於いて、カメラ本体内ＣＰＵ８からの通信の応じた制御や、データの送信を行う。ここで、操作回数を送信する事がある。また、電池２２の電圧が低下していることを送信する場合がある。
【０１０８】
電池２２の電圧が低下していることをカメラ本体内ＣＰＵ８が受信すると、不図示の表示手段にその旨を示す表示を行い、又は、表示警告手段７の警告音発生手段により警告音を発生する。
【０１０９】
以上説明したとおり、第1の制御手段５６に電力を供給する電池２２とを有する事により、操作部材の操作回数を該制御手段に記憶する事が出来るようになった。
【０１１０】
［実施例２］
図７は第２の実施の形態を示し、第１の実施例の図６に相当する。
【０１１１】
第１の実施例では、第２の制御回路３７が操作回数をカメラ本体内ＣＰＵ８に送信していた。
【０１１２】
本実施例では、第１の制御回路３６が操作回数を直接カメラ本体内ＣＰＵ８に送信する。
これにより、第２の制御手段５７の記憶回路を使用することが無くなった。
【０１１３】
図７ａは図６ａのステップ１３を削除し、ステップ３３を追加している。
【０１１４】
他の動作は、図６ａと同じである。
【０１１５】
図７ｂは図６ｂのステップ２３を削除している。
【０１１６】
他の動作は、図６ｂと同じである。
【０１１７】
まず、第１の制御回路３６の動作を説明する。
【０１１８】
ステップ１１に於いて、供給された電源を検知し初期動作を行う。
【０１１９】
ステップ１２に於いて、第２の制御手段５７に供給された電源電圧を電圧検知手段３８の出力を元に検知する。
【０１２０】
電源が供給されていると、カメラに接続されているので、ステップ３３に於いて、カメラ本体内ＣＰＵ８からの通信があり、それまで計数した操作回数を送信する。この通信に於いて、計数値をある値に設定する事がある。
【０１２１】
ステップ１４に於いて、フォーカス操作環が操作された事を、前述のように検出し計数する。この場合、ＺＯＮＥ毎に計数する場合と、一度に操作された事をまとめて一回として計数する場合がある。これらは、予め設定する場合と、カメラ本体内ＣＰＵ８からの通信で設定を変更する場合とがある。
【０１２２】
次に、第２の制御回路３７の動作を説明する。
【０１２３】
ステップ２１に於いて、供給された電源を検知し初期動作を行う。
【０１２４】
ステップ２２に於いて、第１の制御手段５６に供給される電池２２の電圧を電圧検知手段３９の出力を元に検知する。
【０１２５】
電源が供給されていると、計数してあることが確からしいので、ステップ２４に於いて、カメラ本体内ＣＰＵ８に通信により、その旨を伝える。電池２２の電圧が低下している場合、計数出来ていないことが考えられるので、ステップ２４に於いて、カメラ本体内ＣＰＵ８に通信により、その旨を伝える。
【０１２６】
ステップ２４に於いて、カメラ本体内ＣＰＵ８からの通信の応じた制御や、データの送信を行う。
【０１２７】
［実施例３］
図８は第３の実施の形態を示し、第１の実施例の図４に相当する。
【０１２８】
第１の実施例の電池２２を１次電池としていたが、２次電池６３としている。
【０１２９】
ダイオード８２を追加し、制御系電源２５から２次電池６３を充電する事が出来る。
【０１３０】
第１の制御手段５６に供給される電圧が、制御系電源２５の供給電圧がダイオード６２、４０を経由しても、低下した値が動作電圧範囲であるならば、ダイオード４１を除いても良い。
【０１３１】
以上、本発明の好ましい実施例について説明したが、本発明はこれらの実施例に限定されないことはいうまでもなく、その要旨の範囲内で種々の変形及び変更が可能である。    
【符号の説明】
【０１３２】
１  カメラ本体
２  交換レンズ
８  カメラ本体内ＣＰＵ
９、１６  通信手段
１１  フォーカスレンズ
１２  絞り
１７  レンズ内ＣＰＵ１７
１８  レンズ駆動制御部
１９  レンズ駆動用モータ
２０  絞り制御部
２１  絞り駆動用モータ
２５  制御系電源。
３１  固定筒
３９  フォーカス操作環
４２  ズーム操作環
４４  フォーカス絶対位置検知手段
４５  ズーム位置検知手段
５１  ＺＯＮＥ０端子の電極
５２  ＺＯＮＥ１端子の電極
５３  ＣＯＭ端子の電極
５４  ブラシ（接触子）
５５  基板
５６  第１の制御手段
５７  第２の制御手段
５８  電圧検出手段
５９  電池２２の電圧を検出する電圧検出手段
６０、６１、６２、６３  ダイオード
６４  抵抗
【図１】
2012123153.tif 000004
【図２】
2012123153.tif 000005
【図３】
2012123153.tif 000006
【図４】
2012123153.tif 000007
【図５】
2012123153.tif 000008
【図６】
2012123153.tif 000009
【図７】
2012123153.tif 000010
【図８】
2012123153.tif 000011